(57)【要約】【課題】  荷物の収容および取り出しが負担を感じることなく容易に行なうことができる二輪車用荷籠を提供する。【解決手段】  底部（１１）および側部（１２）を有し、上部を開放した略箱形状に成形され、上部より荷物を収容する収容部（１３）が設けられ、二輪車（３）の車輪（４）上に取り付けられ、側部（１２）に、収容部（１３）への荷物の収容および荷物の収容部（１３）からの取り出しを行なう開口部（１５）が形成されてなる。【選択図】  図１
0003171550.tif 000002
【実用新案登録請求の範囲】
【請求項１】
底部（１１）および側部（１２）を有し、上部を開放した略箱形状に成形され、前記上部より荷物を収容可能な収容部（１３）が設けられ、二輪車（３）の車輪（４）上に取り付けられる二輪車用荷籠であって、
前記側部（１２）に、前記収容部への荷物の収容および前記収容部からの荷物の取り出しを行なう開口部（１５）が形成されたことを特徴とする二輪車用荷籠。
【請求項２】
前記底部は平面視矩形であり、
前記側部は、前記底部に平行な面に略直交し、かつ該底部の２端辺から上方に設けられた一対の側面を有し、該底部に平行な面による切断面が略コ形であり、
前記開口部は、前記一対の側面の２端辺と前記底部の２端辺と直交する１の端辺によって形成される請求項１に記載の二輪車用荷籠。
【請求項３】
前記開口部（１５）は、前記側部（１２）の前記二輪車後方向面に形成されたことを特徴とする請求項１に記載の二輪車用荷籠。
【請求項４】
前記底部（１１）に開閉自在に設けられ、前記開口部を開閉する開閉部（１６）と、閉時に前記開閉部を固定する固定手段とを具備したことを特徴とする請求項１〜３のいずれか１項記載の二輪車用荷籠。
【請求項５】
蛇腹状に形成され、閉時は、展開し前記開口部（１５）を被覆することを特徴とする請求項１〜３のいずれか１項記載の二輪車用荷籠。
【請求項６】
閉時は、前記開口部（１５）に、張力が掛かった状態で折り返し架け渡し、開時は、前記張力を解除し下方に撓ませる紐（８９）を有することを特徴とする請求項１〜３のいずれか１項記載の二輪車用荷籠。
【請求項７】
マグネット（１９、２０）を有し、閉時の前記開閉部（１６）が、前記マグネットの磁力により前記側部（１２）に固定されることを特徴とする請求項４に記載の二輪車用荷籠。
【請求項８】
紐（４１）またはワイヤ（５８）を有し、前記紐またはワイヤは、前記開閉部（１６）を抱え込むように前記側部（１２）に架け渡され、前記開閉部（１６）を閉じる方向に引き寄せることを特徴とする請求項４に記載の二輪車用荷籠。
【請求項９】
前記紐（４１）またはワイヤ（５８）は、前記開閉部（１６）の所望の開度を保持する位置で、前記側部（１２）に掛止されることを特徴とする請求項８に記載の二輪車用荷籠。
【考案の詳細な説明】
【技術分野】
【０００１】
本考案は、自転車やオートバイ等の二輪車の前部や後部に取り付けられ、荷物が収容される二輪車用荷籠に関する。
【背景技術】
【０００２】
従来、二輪車用荷籠は、上部に開放部を有する箱形に成形され、たとえば自転車の後輪上の後部荷台に載置された状態で取り付けられる。そして、荷物が、上部開放部より荷籠の内部に収容され、かつ上部開放部より取り出されるようになっている（特許文献１参照）。
【先行技術文献】
【特許文献】
【０００３】
【特許文献１】特開２００２−３６２４５５号公報
【考案の概要】
【考案が解決しようとする課題】
【０００４】
しかしながら、上記従来の二輪車用荷籠は、後輪上に取り付けられ、しかも高さを有する箱形に成形されているので、荷物を収容および取り出す際、開放部の高さ位置まで持ち上げなければならない。このため、特に非力で背の低い女性、子供やお年寄りには負担が大きいという事情がある。
【０００５】
本考案は、上述した事情に鑑みてなされたものであり、その目的は、荷物の収容および取り出しが負担を感じることなく容易に行なえる二輪車用荷籠を提供することにある。
【課題を解決するための手段】
【０００６】
上記目的を達成するため、本考案は、底部（１１）および側部（１２）を有し、上部を開放した略箱形状に成形され、上部より荷物を収容可能な収容部（１３）が設けられ、二輪車の車輪上に取り付けられる二輪車用荷籠であって、側部（１２）の二輪車後方側に、収容部への荷物の収容および収容部からの荷物の取り出しを行なう開口部（１５）が形成されたことを特徴とする。これにより、二輪車の荷籠への荷物の収容や荷籠からの荷物の取り出しが、二輪車の後方より容易に行われる。
【０００７】
好ましい態様としては、前記側部は、前記底部に平行な面による切断面が略コ形であり、該略コ形の開いている部分が前記開口部を形成する。これにより、略長方形の荷籠への荷物の出し入れが二輪車の後方より容易に行われる。
【０００８】
上記態様では、底部（１１）に開閉自在に設けられ、開口部を開閉する開閉部（１６）と、閉時に開閉部を固定する固定手段とを具備するのが好ましい。これにより、開閉部の閉時の状態が安定的に保持され、荷物の流出が回避される。
【０００９】
さらに、上記態様では、蛇腹状に形成され、閉時は、展開し前記開口部（１５）を被覆する開閉手段を具備するのが好ましい。これにより、開閉手段の開閉が狭所でも容易に行われる。
【００１０】
また、上記態様では、開口部（１５）に、張力が掛かった状態で折り返し架け渡し、開時は、前記張力を解除し下方に撓ませる紐（８９）を具備するのが好ましい。これによれば、開閉手段の取り付けが容易になる。
【００１１】
さらに、上記態様では、マグネット（１９、２０）を有し、閉時に開閉部が、マグネットの磁力により側部に固定されるのが好ましい。これにより、開閉部の閉じた状態が確実に保持される。
【００１２】
また、上記態様では、紐（４１）またはワイヤ（５８）を有し、前記紐またはワイヤは、前記開閉部（１６）を抱え込むように前記側部（１２）に架け渡され、前記開閉部（１６）を閉じる方向に引き寄せることが好ましい。これにより、開閉部（１６）の閉じた状態が容易に保持される。
【００１３】
さらに、上記態様では、前記紐（４１）または前記ワイヤ（５８）は、前記開閉部（１６）の所望の開度を保持する位置で、前記側部（１２）に掛止されることが好ましい。これにより、開閉部（１６）の開度が、収容される荷物の量に応じて自由に変更される。
【考案の効果】
【００１４】
本考案の二輪車用荷籠によれば、側部に荷物の収容および取り出しを行なう開口部が形成されているので、非力で背の低い人であっても荷物の収容および取り出しが負担を感じることなく容易かつ軽快に行なうことができる。
【図面の簡単な説明】
【００１５】
【図１】自転車に取り付けられた実施例１に係る二輪車用荷籠を示す斜視図である。
【図２】本考案の実施例２に係る二輪車用荷籠の斜視図である。
【図３】本考案の実施例３に係る二輪車用荷籠を説明する図であり、（ａ）は荷籠の閉時の斜視図、（ｂ）は荷籠の半開時の斜視図である。
【図４】本考案の実施例４に係る二輪車用荷籠を説明する図であり、（ａ）は荷籠の開時の斜視図、（ｂ）は荷籠の閉時の斜視図である。
【図５】本考案の実施例５に係る二輪車用荷籠を説明する図であり、（ａ）は荷籠の閉時の斜視図、（ｂ）は荷籠の開時の斜視図である。
【図６】本考案の実施例６に係る二輪車用荷籠を説明する図であり、（ａ）は荷籠の閉時の斜視図、（ｂ）は荷籠の開時の斜視図である。
【考案を実施するための形態】
【００１６】
以下、本考案の二輪車用荷籠（本明細書において、単に「荷籠」ということがある。）に係る実施例を図面に基づいて説明する。なお、各図面において、同一符号は同一または相当部分を示す。
【実施例１】
【００１７】
図１は、本考案の実施例１に係る荷籠１０を示し、実施例１の荷籠１０が自転車の後部荷台に取り付けられた状態を示す。図１に示すように、荷籠１０は、合成樹脂や金属等により方形の箱形状に成形され、上部に開放部１４を有し、底部１１および側部１２により荷物（図示略す）を収容する収容部１３が形成されている。
底部１１は平面視矩形である。側部１２は、底部の２端辺１１ａ，１１ｂから上方に設けられた一対の側面１２ａ，１２ｂを有する。側面１２ａ，１２ｂは底部１１に略垂直に設けられている。側部１２の底部に平行な面による切断面は略コ形であり、その開口は開口部１５を形成する。つまり、開口部１５は、一対の側面１２ａ，１２ｂの２端辺１２ａ’，１２ｂ’と前記底部の２端辺と直交する１の端辺１１ｃによって形成される。
図１において、荷籠１０は、自転車３の後輪４上の後部荷台５に載置された状態で、取付金具（図示略す）により固定されている。使用時には紐をかけて開口部１５から荷物が落下するのを防止することができる。
【実施例２】
【００１８】
図２は、本考案の実施例２に係る荷籠３０を示す。荷籠３０は、合成樹脂や金属等により方形の箱形状に成形され、上部に開放部１４を有し、底部１１および側部１２により荷物（図示略す）を収容する収容部１３が形成されている。
【００１９】
また、側部１２の背面（図１において自転車３の後方向に位置する面）には、収容部１３に対する荷物の出し入れを行なうため、開口部１５が形成されており、この開口部１５を開閉する開閉板１６が、底部１１に蝶番１７により蝶着されている。これにより、収容部１３に対する荷物の出し入れが、自転車３の後方より容易に行われ、開閉板１６を閉じることで、開口部１５が閉塞されるので、自転車３の走行時において収容部１３に収容された荷物の流出が防止される。
【００２０】
開閉板１６の先端部の幅方向両側には、一対のマグネット２０が装着され、側部１２には、マグネット２０とは極性が異なる一対のマグネット１９（または強磁性体）が装着されている。
【００２１】
マグネット１９は、開閉板１６の閉時にマグネット２０が対応する位置に装着されており、開閉板１６の閉時には、マグネット２０が吸着することで、開閉板１６の閉じた状態が固定されるようになっている。これにより、開閉板１６の閉時の状態が安定的に保持され、荷物の流出が確実に回避される。
また、開閉板１６は、開閉板１６と開口部１５との間に介装された一対の円弧状ステー１８により補強され、その開閉がスムーズに案内されるようになっている。
【実施例３】
【００２２】
図３は、本考案の実施例３係る二輪車用荷籠の斜視図である。
図３において、荷籠５０は、方形の箱形状を呈し、上部に開放部１４を有し、底部１１および側部１２に囲繞され、荷物が収容される収容部１３が設けられている。側部１２の背面には、荷物の出し入れを可能にする開口部１５が形成され、この開口部１５は、蝶番１７により底部１１に蝶着された開閉板１６により開閉されるようになっている。
【００２３】
開閉板１６の外面略中央には、一対の支持具４０が横方向に間隔をおいて固着され、これら支持具４０には、ゴム紐４１が挿通されている。ゴム紐４１は、開閉板１６を抱え込むように、開口部１５の左右に隣接する側部１２の右側板１２ａおよび左側板１２ｂ間に架設され、その一端は、右側板１２ａに固定されている。
【００２４】
また、左側板１２ｂの異なる位置には、円柱状の留め具３８および３９がそれぞれ突設され、ゴム紐４１の他端には、先の曲がったフック４２が設けられている。このフック４２は、開閉板１６の閉時には、留め具３８に掛止され（図３（ａ）参照）、半開時は、留め具３９に掛止される（図３（ｂ）参照）。
【００２５】
通常、開閉板１６は、その自重により開く方向に力が作用し、ゴム紐４１により閉じる方向に引き寄せられる。このため、閉時および半開時の状態は、ゴム紐４１が、留め具３８または３９に掛止されることで、安定的に保持される。なお、半開時とは、開閉板１６が完全に閉じていない状態をいい、これにより、収容部１３の容量を増大させることができ、多量の荷物の収容が可能になる。
【実施例４】
【００２６】
図４は、本考案の実施例４に係る二輪車用荷籠の斜視図である。
図４において、荷籠７０は、全体が方形の箱形状に成形されている。上部には、開放部１４が設けられている。また、底部１１および側部１２により荷物を収容する収容部１３が形成されている。側部１２の背面には、荷物の出し入れをする開口部１５が形成されている。底部１１には、開閉板１６が蝶番１７により蝶着され、開口部１５が開閉板１６により開閉されるようになっている。
【００２７】
側部１２の右側板１２ａおよび左側板１２ｂの上部には、案内筒５７が装着され、開閉板１６の上部には、案内筒６１が装着されている。そして、これら案内筒５７、６１には、スチールワイヤ５８が挿通されている。
スチールワイヤ５８の一端は、側部１２の前面１２ｃに装着されたストッパー５９に固着され、他端を引いたり戻したりすることで、スチールワイヤ５８の有効長さが調節されるようになっている。
【００２８】
ストッパー５９は、スチールワイヤ５８の所望の長さ位置を固定するものであり、スチールワイヤ５８の有効長さは、ストッパー５９により固定され保持される。なお、図４中、６０は、スチールワイヤ５８の他端に設けられ、スチールワイヤ５８の長さ調節を行なう際に把持される把持部である。
【００２９】
従って、開閉板１６の開時は、スチールワイヤ５８の有効長さを最長に保ち（図４（ａ）参照）、閉時は、スチールワイヤ５８を引き寄せ、その有効長さを最短にし、開口部１５を閉塞する。この場合、スチールワイヤ５８の長さ位置は、ストッパー５９により固定されるので、開閉板１６の閉状態は、確実に保持される（図４（ｂ）参照）。
【００３０】
開閉板１６は、スチールワイヤ５８の有効長さを変更することで、所望の開度に設定可能であり、荷物の量に応じて荷籠５０の収容部１３の容量を適宜変更することができる。
【実施例５】
【００３１】
図５は、本考案の実施例５に係る二輪車用荷籠の斜視図である。
図５において、荷籠８０は、上部に開放部１４を有する方形の箱形状に成形され、底部１１および側部１２に囲繞された荷物の収容部１３を有する。側部１２の背面には、荷物の出し入れ口となる開口部１５が形成されている。
【００３２】
開口部１５には、上下方向に伸縮する蛇腹状の開閉部７７が設けられ、側部１２の後端部には、ガイドレール７８が上下方向に延設されている。開閉部７７の先端部には、摘み７６が設けられ、この摘み７６をガイドレール７８に沿って上下動することで、開口部１５の開閉が行われるようになっている。
【００３３】
即ち、開閉部７７の閉時は、摘み７６を上方へ移動し、蛇腹を展開することで、開口部１５が被覆される（図５（ａ）参照）。開時は、摘み７６を下方へ移動し、開閉部７７を束ねることで、開口部１５が開放される（図５（ｂ）参照）。なお、かかる開閉部７７の開閉動作は、狭所でも容易に行なわれる。
【実施例６】
【００３４】
図６は、本考案の実施例６に係る二輪車用荷籠の斜視図である。
図６において、荷籠８５は、上部に開放部１４を有し、底部１１および側部１２からなる方形の箱形状に成形され、荷物が収容される収容部１３が設けられている。側部１２の背面には、荷物の出し入れを可能にする開口部１５が形成されている。
【００３５】
側部１２の左右側板１２ａ、１２ｂの後端部には、複数の環状ガイド８８が等間隔をおいて一列状にそれぞれ突設されている。また、左右側板１２ａ、１２ｂの略中央部には、複数の円柱ガイド８６が上下方向に等間隔に突設され、左側板１２ｂの前部に留め具８７が突設されている。
【００３６】
開口部１５には、先端に円弧状のフック９０を有する紐８９が、上下方向に幾重にも折り返されて設けられている。即ち、紐８９は、複数の環状ガイド８８に順次挿通されるとともに、複数の円柱ガイド８６により順次折り返され、左右側板１２ａ、１２ｂ間に幾重にも架け渡されている。
【００３７】
従って、開口部１５を閉じる際は、紐８９に張力を掛けた状態で、紐８９を開口部１５の全面に架け渡し、フック９０を留め具８７に掛止する（図６（ａ）参照）。開口部１５を開く時は、フック９０を外し、張力を解除することで、紐８９を下方に撓ませ、開口部１５を開放する（図６（ｂ）参照）。なお、かかる開閉手段は、紐８９を折り返し架け渡した構成なので、側部１２に容易に取り付けられる。
【００３８】
このように、上記実施例では、二輪車用荷籠３０、５０、７０、８０、８８の背面を開閉自在にしたことで、高さを有する荷籠３０、５０、７０、８０、８５に対する荷物の出し入れが、荷籠３０、５０、７０、８０、８５の横方向から可能となり、女性、子供やお年寄りであっても、負担を感じることなく容易に行なうことができるとともに、自転車３の駐輪中は勿論、走行中の荷物の流出が防止される。
【００３９】
本考案に係る二輪車用荷籠は、上述の実施例に限定されず、本考案の要旨を逸脱することなく、種々の構成を取り得る。
【００４０】
たとえば、本考案では、側部１２の背面を開口し、開閉自在としたが、側部１２の背面以外の部分を開口し、開閉自在としてもよい。また、マグネット１９、２０に代えて、その他の掛止機構を用いて、閉時の開閉板１６を固定してもよい。
蛇腹状の開閉部７７は、開口部１５の他に、開放部１４も含めて開閉するように構成してもよい。本考案では、荷籠１０を自転車３の後部に取り付けたが、自転車３の前部に取り付けても構わない。
【産業上の利用可能性】
【００４１】
本考案に係る二輪車用荷籠は、二輪車の荷台に取り付けられ、荷物を収容し、運搬する荷籠として有用である。
【符号の説明】
【００４２】
３  自転車
４  後輪
１０、３０、５０、７０、８０、８５  二輪車用荷籠
１１  底部
１２  側部
１２ａ  右側板（側面）
１２ｂ  左側板（側面）
１２ｃ  前面
１３  収容部
１４  開放部
１５  開口部
１６  開閉板
１８  円弧状ステー
１９、２０  マグネット
３８、３９、８７  留め具
４０  支持具
４１  ゴム紐
４２、９０  フック
５７、６１  案内筒
５８  スチールワイヤ
５９  ストッパー
６０  把持部
７６  操作用摘み
７７  開閉部
７８  ガイドレール
８６  円柱ガイド
８８  環状ガイド
８９  紐
【図１】
0003171550.tif 000003
【図２】
0003171550.tif 000004
【図３】
0003171550.tif 000005
【図４】
0003171550.tif 000006
【図５】
0003171550.tif 000007
【図６】
0003171550.tif 000008